(57)【要約】【課題】  ダイヤル入力キーを多機能入力キーと兼用し、併せて表示画面の小型化を図ることによって、より小型の折り畳み式携帯電話機を提供する。【解決手段】  本発明の携帯電話機１０は、多機能入力キー１０７と所定のダイヤル入力キーとを共用することによりキー配置面１３において生じる余剰スペースを削減することに加え、表示装置の小型を行うことによって、入力キー群１４の操作性を維持しつつ、折り畳み式携帯電話機１０のより一層の小型化を達成する。【選択図】        図１
2005217759.tif 000002
【特許請求の範囲】
【請求項１】
表示画面が配置される第１の基体と、ダイヤル入力キー群及びそれぞれ異なる入力が可能である特定数の機能入力キーを統合した多機能入力キーが特定同一面に配置される第２の基体とを、ヒンジ部を介して、該表示画面と該特定同一面とが対面する様に折り畳み可能に連結した携帯電話機であって、
前記多機能入力キーを前記ダイヤル入力キー群に含まれる前記特定数と同数のダイヤル入力キーとして兼用することによって、該多機能入力キーは前記特定数の機能入力キー毎に所定数の異なる入力操作の受付が可能であり、
前記多機能入力キーを前記ダイヤル入力キー群に含まれる前記特定数と同数のダイヤル入力キーとして兼用するために、該多機能入力キーの機能を切り換えるための機能切換手段を有することを特徴とする携帯電話機。
【請求項２】
前記機能変更手段が、前記ダイヤル入力キー群に含まれる発信キーの押下の検知を契機として、前記特定数の機能入力キーを、前記特定数と同数のダイヤル入力キーとして機能させる機能変換プログラムを含むことを特徴とする請求項１に記載の携帯電話機。
【発明の詳細な説明】
【技術分野】
【０００１】
本発明は、折り畳み式携帯電話機、特にその入力キーに関する。
【背景技術】
【０００２】
近時の日本国内においては、携帯電話機の多機能化に伴い、携帯電話機が備える入力キーの数が増加し、これが、携帯電話機が備える表示画面の大型化傾向と相俟って、携帯電話機本体の大型化を招来している。
【０００３】
一方、韓国や中国などのアジア各国では、携帯性をより重視し、携帯電話機に、多機能化よりも小型化を求める傾向が強い。また、欧米などにおいては、欧米人の標準的な手の指の大きさが大きいため、たとえ携帯電話機の小型化が求められるとしても、入力キー自体の小型化によっては対応できない。
【０００４】
特に、折り畳み式携帯電話機は、表示画面を配した基体と入力キーを同一の入力キー配置面に配した基体とを、ヒンジを介して、表示画面と入力キー配置面が対面するように折り畳み可能となっている。その表示画面の面積と入力キー配置面の面積がほぼ同じになっているため、たとえ表示画面の小型化を図ったとしても、その入力キー配置面の面積の縮小を図らねば、携帯電話機自体の小型化は実現できない。そこで、発信キーと終話キーの機能の集約を図って入力キー数を減らして入力キー配置面の面積の縮小を図り、本体の小型化を実現する携帯電話機が提案されている（例えば、特許文献１参照）。
【特許文献１】特開平９−１７２４８２号公報
【発明の開示】
【発明が解決しようとする課題】
【０００５】
しかしながら、前述のような発明では、発信キーと終話キーの２つの入力キーの機能を集約するのみで、入力キー数の大幅な削減は望めず、携帯電話機の小型化への寄与は少ない。特に、近時の携帯電話機は、多機能化により、大型の多機能入力キーを備え、その多機能入力キーが入力キー配置面において占める面積が大きい。折り畳み式の携帯電話機を小型化しようとした場合、表示画面を小型化することによって生じる余剰スペースに一部の入力キーを配置することによって入力キー配置面の面積を縮小し、携帯電話機の小型化を実現することも考えられるが、この方法では、ヒンジを介して電子回路の配線を取り回すことが、製造コストの増加や携帯電話機の耐久性の低下を招く。また、一部の入力キーが従来機種と全く異なる位置に配置されることによる操作性の低下が問題となる。そこで、入力キー数の大幅な削減を図り、より一層の小型化を図ることができる折り畳み式携帯電話機が望まれていた。
【課題を解決するための手段】
【０００６】
前述の課題に鑑み、本発明はなされた。特に、近時の携帯電話機は、各種の特殊機能を実行するために、十字形状の多機能入力キーを有することが一般的である。本発明の目的は、多機能入力キーが、入力キー配置面において占める面積は大きいが、ダイヤル入力キーとは受け持つ機能が全く異なる入力キーを兼用するという発想に基づき、ダイヤル入力キーを多機能入力キーと兼用することによって、入力キーを配置する基体において余剰スペースを削減し、併せて表示画面の小型化を図ることによって、従来の携帯電話の利用者に受け入れやすく、デザイン的にも違和感が生じないようにしつつ、より小型の折り畳み式携帯電話機を提供することである。そして、本発明は、従来の携帯電話機におけるダイヤル入力キーと多機能入力キーの用途ごとの使用頻度を分析し、ダイヤル入力キーの機能が、特殊機能を実行するための多機能入力キーの機能と、ほとんど重複がないという点に着目したことに着眼の意外性がある。
【０００７】
本発明では、具体的には、以下のようなものを提供する。
【０００８】
（１）  表示画面が配置される第１の基体（例えば、後述の図１の表示装置１２が配置される基体など）と、ダイヤル入力キー群（例えば、後述の入力キー１０６，１０７Ｕ，１０８，１０７Ｌ，１０７Ｃ，１０７Ｒ，１１０，１０７Ｄ，１１１，１１２，１１３，１１４など）及びそれぞれ異なる入力が可能である特定数（例えば、“↑”，“↓”，“←”，“→”，“ＯＫ”の５種類など）の機能入力キーを統合した多機能入力キー（例えば、後述の入力キー１０７Ｕ，１０７Ｌ，１０７Ｃ，１０７Ｒ，１０７Ｄなど）が特定同一面（例えば、後述の入力キー配置面１３など）に配置される第２の基体（例えば、後述する図１のダイヤル入力キー群１４が配置される基体など）とを、ヒンジ部（例えば、後述の図１のヒンジ１６など）を介して、該表示画面と該特定同一面とが対面する様に折り畳み可能に連結した携帯電話機であって、前記多機能入力キーを前記ダイヤル入力キー群に含まれる前記特定数と同数のダイヤル入力キー（例えば、後述の“２”，“４”，“５”，“６”，“８”のダイヤル入力キーなど）として兼用することによって、該多機能入力キーは前記特定数の機能入力キー毎に所定数の異なる入力操作の受付が可能であり、前記多機能入力キーを前記ダイヤル入力キー群に含まれる前記特定数と同数のダイヤル入力キーとして兼用するために、該多機能入力キーの機能を切り換えるための機能切換手段（例えば、後述の図５または図７の処理を実行するデジタル・シグナル・プロセッサ５０、図６の機能切り換えスイッチ１６ｂなど）を有することを特徴とする携帯電話機。
【０００９】
（１）の発明によれば、ダイヤル入力キーと、多機能入力キーと、を統合することによって、従来の折り畳み式携帯電話機に比べて入力キーの数を減少させることができる。この入力キーの減少によって、入力キーが配置される携帯電話機の基体の特定同一面において、入力キー自体が占める面積を減少させることができるため、折り畳み式携帯電話機の小型化を図ることができる。また、折り畳み式携帯電話機の部品点数を削減することができるので、製造工程の簡略化、部品管理の簡略化によって製造コストの削減を図ることができ、延いては折り畳み式携帯電話機の価格の抑制に寄与することが期待できる。
【００１０】
また、折り畳み式携帯電話機は、多機能入力キーの機能を、ダイヤル入力キーの機能と、多機能入力キー本来の機能と、のいずれかの機能に切り換える機能切換手段を備えたので、使用者の意思に従って、多機能入力キーを機能させることができる。
【００１１】
（２）  前記機能変更手段が、前記ダイヤル入力キー群に含まれる発信キーの押下の検知を契機として、前記特定数の機能入力キーを、前記特定数と同数のダイヤル入力キーとして機能させる機能変換プログラム（例えば、後述の図５または図７の処理を実行するプログラムなど）を含むことを特徴とする請求項１に記載の携帯電話機。
【００１２】
（２）の発明によれば、発信キーの押下を契機として、多機能入力キーをダイヤル入力キーとして機能させる様に切り換えるので、従来と変わらない操作性を有する携帯電話機を提供できる。
【発明の効果】
【００１３】
本発明によれば、従来の携帯電話機に比べて入力キーの数を減少させることができるため、入力キーが配置される携帯電話機の基体の同一面に生じる余剰スペースを削減し、併せて表示画面の小型化を図って、折り畳み式携帯電話機の更なる小型化を達成することができる。
【発明を実施するための最良の形態】
【００１４】
図１〜図６を参照して、本発明の好適な実施例を説明する。
【００１５】
［第１実施例］
図１は、携帯電話機１０の外観を示す図である。携帯電話機１０の本体１１は、いわゆる折り畳み式と呼ばれるタイプの形状をしている。携帯電話機１０は、ヒンジ１６を回転軸として、図１に示す矢印の方向に折り畳み可能である。
【００１６】
携帯電話機１０の本体１１の正面下部のキー配置面１３には、ダイヤル番号，その他の文字の入力や、携帯電話機１０の各種機能の実行指示の入力のための、入力キー群１４が配置されている。この入力キー群１４の詳細は、後に図３を参照して説明する。
【００１７】
携帯電話機１０の本体１１の正面上部には、表示装置１２が備えられている。なお、この表示装置１２の横長ｗは、従来の携帯電話機１０のとほぼ同じであるが、縦長ｈは、従来の携帯電話機１０と比較して短い。すなわち、表示装置１２は、従来の携帯電話機に比べ、小型化されている。これは、後述するように、入力キー群１４に含まれるキーを集約することによってキー数を減らし、キー数を減らしたことによって生じた余剰スペースを削減することによって、携帯電話機１０のキー配置面１３の面積を削減し、併せて表示装置１２の表示画面の面積を削減することによって、携帯電話機１０の本体１１の大きさを、従来の折り畳み式携帯電話機と比較して、小型化するためである。
【００１８】
携帯電話機１０の本体１１のヒンジ１６の上部には、アンテナ１５が備えられている。このアンテナは、携帯電話機１０が、基地局（図示せず）と情報通信を行うときに利用する電磁波の送出および受信を行うときに使用される。すなわち、このアンテナ１５を介して、携帯電話機１０は基地局と、電磁波のやり取りを行う。図１は、アンテナ１５が本体１１に収納された状態を示しているが、アンテナ１５は伸張可能でもある。アンテナ１５は、本体１１に収納された状態と、伸張された状態と、のいずれの状態であっても、電磁波の送出および受信が可能である。
【００１９】
図２は、従来の折り畳み式携帯電話機１０ａの外観を示す図である。ここで、図１と図２を比較して、本発明の携帯電話機１０が、従来の携帯電話機１０ａと異なる点を説明する。
【００２０】
図２に示す携帯電話機１０ａは、入力キー群１４ａに含まれる多機能入力キー１０７ａとそれ以外の入力キーの一部とが集約されておらず、キー配置面１３ａの面積が、図１に示す携帯電話機１０のキー配置面１３に比べて大きい。一方、図１に示す携帯電話機１０は、入力キー群１４に含まれる多機能入力キー１０７とそれ以外の入力キーの一部とが集約されており、キー配置面１３の面積が、図２に示す携帯電話機１０ａのキー配置面１３ａに比べて小さい。このため、図１の携帯電話機１０の、入力キーが配置される基体の横長Ｗ１は、図２の携帯電話機１０ａの、入力キーが配置される基体の横長Ｗ２と同じであるが、縦長Ｈ１は、縦長Ｈ２に比べて短くなっている。
【００２１】
なお、図１に示す携帯電話機１０および図２に示す携帯電話機１０ａは、ともに折り畳み式携帯電話機である。このため、携帯電話機１０の入力キーが配置される基体の縦長および横長の長さは、それぞれＨ１およびＷ１であるが、表示装置１２が配置される基体の縦長および横長の長さも、それぞれ、Ｈ１およびＷ１である。同様に、図２に示す携帯電話機１０ａの入力キーが配置される基体の縦長および横長の長さも、それぞれＨ２およびＷ２であるが、表示装置１２ａが配置される基体の縦長および横長の長さも、それぞれ、Ｈ２およびＷ２である。
【００２２】
従って、携帯電話機１０の入力キーが配置される基体の横長Ｗ１は、携帯電話機１０ａの入力キーが配置される基体の横長Ｗ２と同じであるため、表示装置１２の横長ｗ１は、表示装置１２ａの横長ｗ２と同じである。一方、携帯電話機１０の入力キーが配置される基体の縦長Ｈ１が、携帯電話機１０ａの入力キーが配置される基体の縦長Ｈ２に比べて短くなっているため、それに合わせて、表示装置１２の縦長ｈ１が表示装置１２ａの縦長ｈ２に比べて短い。そのことによって表示装置１２の表示面積は、表示装置１２ａの表示面積に比べて小さくなる。
【００２３】
以上のように、従来の携帯電話機１０ａのキー配置面１３ａの面積を縮小するとともに、表示装置１２ａの表示面積の縮小を図ることによって、従来の携帯電話機１０ａの小型化を達成することができる。その結果として、その面積が従来に比べて小さいキー配置面１３および表示装置１２を持った、従来の携帯電話機１０ａより小型の携帯電話機１０が製作できる。また、携帯電話機１０は、従来の携帯電話機１０ａよりも軽量とすることが期待できる。
【００２４】
［キー配置面１３の入力キー群１４の配置の詳細］
図３は、キー配置面１３に配置される、入力キー群１４の配置の詳細を示す図である。
【００２５】
入力キー群１４に含まれる、複数の入力キーの本体１１側内部には、それぞれ対応する入力スイッチが配置されている。また、複数の入力キーの本体１１側内部には、携帯電話機１０が備える照度センサ（図示せず）の検知に応じて、それぞれのキーを内部から照射する光源（図示せず）が配置されている。この光源の発光によって、暗い場所であっても、キー入力操作が容易に行える様になっている。
【００２６】
また、入力キー群１４に含まれる、それぞれの入力キーは、複数の入力機能を有しているが、その入力機能の切り換えは、所定の入力キーの操作に従って、適宜切り換えられる。
【００２７】
また、入力キー群１４に含まれる、それぞれの入力キーのサイズは、従来の携帯電話機が備える入力キーのサイズと略同じである。このため、それぞれの入力キーの操作性は、従来の携帯電話機と略同じである。
【００２８】
また、入力キー群１４に含まれる、それぞれの入力キーは、キー配置面１３に対して極端に凸とはなっておらず、従来の携帯電話機と同様の利便性・操作性を持つ。
【００２９】
図３を参照すると、キー配置面１３の略中央には、多機能入力キー１０７が配置されている。この多機能入力キー１０７は、入力キー１０７Ｌ，入力キー１０７Ｃ，入力キー１０７Ｒ，入力キー１０７Ｕ，入力キー１０７Ｄの、５つの入力キーが１つに統合されたキーであり、略十字の形状を取る。入力キー１０７Ｃが多機能入力キー１０７の略中央に配置され、入力キー１０７Ｃを取り囲むように、入力キー１０７Ｌ，入力キー１０７Ｒ，入力キー１０７Ｕ，入力キー１０７Ｄが配置される。
【００３０】
多機能入力キー１０７は、５つの入力キーが１つに統合されたキーであるが、それぞれの入力キーは、以下のように複数の入力機能を有する。
【００３１】
入力キー１０７Ｌは、“４”のダイヤル入力機能と、“Ｇ”，“Ｈ”，“Ｉ”の大文字・小文字のアルファベット入力機能と、“た”行のひらがな・カタカナ入力機能と、“←”の特殊入力機能と、を有する。ここで、以下、特殊入力機能とは、その入力によって種々の特殊機能の実行が実現できる機能をいい、特殊入力機能が割り当てられた入力キー毎に、適宜所定の特殊入力が可能である。
【００３２】
入力キー１０７Ｃは、“５”のダイヤル入力機能と、“Ｊ”，“Ｋ”，“Ｌ”の大文字・小文字のアルファベット入力機能と、“な”行のひらがな・カタカナ入力機能と、“ＯＫ”の特殊入力機能と、を有する。
【００３３】
入力キー１０７Ｒは、“６”のダイヤル入力機能と、“Ｍ”，“Ｎ”，“Ｏ”の大文字・小文字のアルファベット入力機能と、“は”行のひらがな・カタカナ入力機能と、“→”の特殊入力機能と、を有する。
【００３４】
入力キー１０７Ｕは、“２”のダイヤル入力機能と、“Ａ”，“Ｂ”，“Ｃ”の大文字・小文字のアルファベット入力機能と、“か”行のひらがな・カタカナ入力機能と、“↑”の特殊入力機能と、を有する。
【００３５】
入力キー１０７Ｄは、“８”のダイヤル入力機能と、“Ｔ”，“Ｕ”，“Ｖ”の大文字・小文字のアルファベット入力機能と、“や”行のひらがな・カタカナ入力機能と、“↓”の特殊入力機能と、を有する。
【００３６】
以上の様に、入力キー１０７Ｌ，入力キー１０７Ｃ，入力キー１０７Ｒ，入力キー１０７Ｕ，入力キー１０７Ｄが、ダイヤル入力機能，アルファベット入力機能，ひらがな・カタカナ入力機能と、特殊入力機能とを併せて有することによって、入力キー群１４に含まれる入力キーの数を集約することができ、それぞれのキーサイズを徒に小型化することなく、キー配置面１３において入力キーが占める面積を縮小することができる。キー数を減らしたことによって生じた余剰スペースを削減することによって、携帯電話機１０のキー配置面１３の面積を縮小し、併せて表示装置１２の表示画面の面積を縮小することによって、携帯電話機１０の本体１１の大きさを、従来の折り畳み式携帯電話機と比較して、小型化することができる。
【００３７】
なお、入力キー１０１，入力キー１０２，入力キー１０４には、所定の入力機能が割り当てられている。また、入力キー１０３は発信キーで、携帯電話機における通話の開始の際に入力操作される入力キーであり、入力キー１０５は終話および電源キーで、携帯電話機における通話の終了の際に入力操作される入力キーである。入力キー１０６は、“１”のダイヤル入力機能と、“．”，“＠”などの特殊記号の入力機能と、“あ”行のひらがな・カタカナ入力機能と、有する。入力キー１０８は、“３”のダイヤル入力機能と、“Ｄ”，“Ｅ”，“Ｆ”の大文字・小文字のアルファベット入力機能と、“さ”行のひらがな・カタカナ入力機能と、を有する。入力キー１１０は、“７”のダイヤル入力機能と、“Ｐ”，“Ｑ”，“Ｒ”，“Ｓ”の大文字・小文字のアルファベット入力機能と、“ま”行のひらがな・カタカナ入力機能と、を有する。入力キー１１１は、“９”のダイヤル入力機能と、“Ｗ”，“Ｘ”，“Ｙ”，“Ｚ”の大文字・小文字のアルファベット入力機能と、“ら”行のひらがな・カタカナ入力機能と、を有する。入力キー１１２は、“＊”のダイヤル入力機能と、濁音，半濁音の入力機能と、を有する。入力キー１１３は、“０”のダイヤル入力機能と、“わ”，“を”，“ん”のひらがな・カタカナ入力機能と、を有する。入力キー１１４は、“＃”のダイヤル入力機能と、改行の入力機能と、を有する。これらの入力キーに割り当てられた入力機能は、従来の携帯電話機と同一の入力機能を有する。
【００３８】
以上の説明と図３が示す内容から、本実施例の携帯電話機の入力キー群１４は、ダイヤル入力機能，発信・終話機能などの点では、その入力キーの配列が、従来の携帯電話機と同一である。従って、携帯電話機が本実施例で示すような入力キー配置をとっても、使用者は、従来機種と略同じ感覚でダイヤル操作などを行うことができ、操作性の低下や不便を招くおそれは無い。
【００３９】
なお、以上で説明した、入力キー群１４に含まれるそれぞれの入力キーに割り当てられた各種入力機能の割り当て方法は、携帯電話機の入力操作性を高めるために、適宜設計変更可能である。
【００４０】
また、多機能入力キー１０７に共用して割り当てられるダイヤル入力キーは、例えば、“５”，“７”，“８”，“９”，“０”であってもよい。または、多機能入力キー１０７に共用して割り当てられる入力キーは、入力キー１０４（図３参照）、および“１”，“２”，“３”，“５”のダイヤルキーであってもよく、携帯電話機の入力操作性を一定水準以上に保つことができるものであれば、いずれでもよい。
【００４１】
［携帯電話機１０の電気的構成］
図４を参照して、本実施例の携帯電話機１０の電気的構成を説明する。
【００４２】
図４に示す携帯電話機１０は、デジタル・シグナル・プロセッサ５０を処理装置の中核として構成されている。デジタル・シグナル・プロセッサ５０は、携帯電話機１０全体の電気的制御をつかさどるＣＰＵの役割と、マイクロフォン５６から入力された音声信号をデジタル変換して電磁波での搬送に適したデータ形式に変換して無線制御部５１に送信し、或いは無線制御部５１がアンテナ６１を介して受信した電磁波から所定のデジタルデータを抽出したものを、アナログ変換してスピーカ５７から発生するに適したデータ形式に変換するという、Ａ／Ｄ（アナログ・デジタル）・Ｄ／Ａ（デジタル・アナログ）コンバータの役割とを担う。このデジタル・シグナル・プロセッサ５０には、次の各種構成要素が接続されている。すなわち、アンテナ６１を介して基地局（図示せず）との間で通話に関する種々の情報を送受信する無線制御部５１が、デジタル・シグナル・プロセッサ５０に接続されており、両者は双方向で信号の送信を行う。また、各種情報・画像を使用者に表示するための表示装置１２（液晶表示装置，有機ＥＬ，その他情報・画像を表示可能な装置であればいずれでもよい）が、デジタル・シグナル・プロセッサ５０に接続されている。また、入力キー群１４（図１参照）に含まれる入力キーそれぞれになされた入力操作を検知して所定の入力信号をデジタル・シグナル・プロセッサ５０に送信し、かつ入力キー群１４に含まれるそれぞれの入力キーの入力機能をコントロールするための信号を入力キー群１４に対して送信する入力キーコントローラ５３が、デジタル・シグナル・プロセッサ５０に接続されている。
【００４３】
また、デジタル・シグナル・プロセッサ５０には、使用者の音声を入力するマイクロフォン５６と、アンテナ６１を介して送信されてきたデジタル音声信号であって、デジタル・シグナル・プロセッサ５０の処理によってアナログ変換された音声信号を発生するスピーカ５７と、が接続されている。
【００４４】
また、デジタル・シグナル・プロセッサ５０には、呼制御プログラム，入力キー制御プログラムなどの各種制御プログラムを格納したＲＯＭ５８と、短縮ダイヤル番号，リダイヤル番号などを格納するＲＡＭ５９と、携帯電話機やその使用者の識別番号を格納するＥＰＲＯＭ６０と、が接続されている。特に、入力キー制御プログラムは、ＲＯＭ５８から呼び出されてＲＡＭ５９に常駐することによって、デジタル・シグナル・プロセッサ５０が所定の動作を行い、入力キーコントローラ５３を制御し、入力キー群１４に含まれるそれぞれの入力キーの入力機能をコントロールするための信号を入力キー群１４に対して送信する、という一連の処理が、機能変更手段を構成する。
【００４５】
さらに、デジタル・シグナル・プロセッサ５０には、リチウム・イオン方式による主電源と、有機伝導性ポリマーによる二次電源と、を含むバッテリが接続されている。通常、携帯電話機１０は、リチウム・イオン方式による主電源からの電源供給によって動作し、ＲＡＭ５９の記憶内容を保持するが、主電源の電荷が消尽に至ると、二次電源からの電源供給によってＲＡＭ５９の記憶内容が保持される。
【００４６】
［第１実施例のデジタル・シグナル・プロセッサ５０の処理］
図５を参照して、携帯電話機１０のデジタル・シグナル・プロセッサ５０で実行される、入力キー操作のフローチャートを説明する。なお、このフローチャートで示される一連の処理が、機能変更手段の一部を構成している。
【００４７】
先ず、ステップＳ１０１では、デジタル・シグナル・プロセッサ５０が、押下入力キーが“０”のダイヤル入力キーか否かを判定する。この判定がＹＥＳのときステップＳ１０４へ処理を移し、ＮＯのときステップＳ１０２へ処理を移す。
【００４８】
ステップＳ１０２では、デジタル・シグナル・プロセッサ５０が、押下入力キーは“２”，“４”，“５”，“６”，“８”のダイヤル入力キーのいずれであるかを判定する。この判定がＹＥＳのときステップＳ１０３へ処理を移し、ＮＯのとき本ルーチンは終了する。
【００４９】
ステップＳ１０３では、デジタル・シグナル・プロセッサ５０が、“２”，“４”，“５”，“６”，“８”のダイヤル入力キー押下入力キーに応じて、各押下入力キーに割り当てられた入力機能にしたがって、各種特殊機能を実行する。例えば、“２”のダイヤル入力キーに、着信履歴表示の機能が割り当てられている場合は、この“２”のダイヤル入力キーの押下によって、表示装置１２に着信履歴が表示される。この処理が終了すると、本ルーチンは終了する。
【００５０】
一方、ステップＳ１０４では、デジタル・シグナル・プロセッサ５０が、通常ダイヤル受付・発信・通話処理を実行する。この処理が終了すると、本ルーチンは終了する。
【００５１】
図５に示すルーチンでは、最初に押下されたダイヤル入力キーが“０”か否かによって、多機能入力キー１０７がダイヤル入力キーとして機能するか、或いは特殊機能入力キーとして機能するかが、自動的に切り換わることができる。すなわち、最初に押下されたダイヤル入力キーが“０”であると多機能入力キー１０７はダイヤル入力キーとして機能し、“０”以外であると多機能入力キー１０７は特殊機能入力キーとして機能する。これは、携帯電話機における、通常のダイヤル入力は、必ず最初に“０”から入力するためであり、少なくとも通常のダイヤル入力において、“２”，“４”，“５”，“６”，“８”の入力キーから入力されることは無いという、入力キーの完全なる機能分担によって可能となっている。
【００５２】
［第２実施例］
図６は、第２実施例の携帯電話機１０ｂの外観を示す図である。第２実施例の携帯電話機１０ｂの本体１１ｂは、第１実施例の携帯電話機１０と同じく、いわゆる折り畳み式と呼ばれるタイプの形状をしている。そして、携帯電話機１０ｂの本体１１ｂの大きさは、携帯電話機１０の本体１１と同一である。
【００５３】
なお、第２実施例の携帯電話機１０ｂの電気的構成は、第１実施例の携帯電話機１０と同様の構成である。
【００５４】
ここで、携帯電話機１０ｂは、多機能入力キー１０７（図３参照）の機能を切り換える、機能切り換えスイッチ１６ｂを、本体１１ｂの側面に備えている。この機能切り換えスイッチ１６ｂは、使用者の操作によって切り換えた機能の状態を保持する状態保持式スイッチである。この機能切り換えスイッチ１６ｂが押下されると、ダイヤル入力キーとして機能していた多機能入力キー１０７が特殊機能入力キーとして機能するように機能変更され、或いは特殊機能入力キーとして機能していた多機能入力キー１０７がダイヤル入力キーとして機能するように機能変更される。
【００５５】
［第２実施例のデジタル・シグナル・プロセッサ５０の処理］
図７を参照して、携帯電話機１０ｂのデジタル・シグナル・プロセッサ５０で実行される、入力キー操作のフローチャートを説明する。なお、このフローチャートで示される一連の処理が、機能変更手段の一部を構成している。
【００５６】
先ず、ステップＳ１１０では、デジタル・シグナル・プロセッサ５０が、機能切り換えスイッチ１６ｂが押下されたか否かの判定を行う。この判定がＹＥＳのときステップＳ１１１へ処理を移し、ＮＯのときステップＳ１１０を繰り返す。
【００５７】
ステップＳ１１１では、デジタル・シグナル・プロセッサ５０が、現在の入力状態がダイヤル入力状態か否かを判定する。すなわち、多機能入力キー１０７がダイヤル入力キーとして機能している状態であるか否かを判定する。この判定がＹＥＳのときステップＳ１１２へ処理を移し、ＮＯのときステップＳ１１３へ処理を移す。
【００５８】
ステップＳ１１２では、デジタル・シグナル・プロセッサ５０が、入力状態を特殊機能入力状態に変更する。この処理によって、多機能入力キー１０７が特殊機能入力キーとして機能するようになる。この処理が終了すると本ルーチンは終了する。
【００５９】
ステップＳ１１３では、デジタル・シグナル・プロセッサ５０が、入力状態をダイヤル入力状態に変更する。この処理によって、多機能入力キー１０７がダイヤル入力キーとして機能するようになる。この処理が終了すると本ルーチンは終了する。
【００６０】
以上の処理によって、携帯電話機１０ｂは、機能切り換えスイッチ１６ｂの操作によって、多機能入力キー１０７の機能が切り換わる様に構成されているが、これに限らず、携帯電話機１０ｂは、デフォルトの状態では多機能入力キー１０７がダイヤル入力キーとして機能するようになっており、最初に発信入力キー１０３（図３参照）が押下されると多機能入力キー１０７がダイヤル入力キーとして機能するように切り換わる制御を行うようにしてもよい。
【図面の簡単な説明】
【００６１】
【図１】本発明の第１実施例の携帯電話機１０の外観を示す図である。
【図２】従来の携帯電話機１０ａの外観を示す図である。
【図３】本発明の第１実施例の携帯電話機１０の入力キー群１４を示す図である。
【図４】本発明の第１実施例の携帯電話機１０の電気的構成を示す図である。
【図５】本発明の第１実施例の携帯電話機１０のデジタル・シグナル・プロセッサ５０の処理を示すフローチャート図である。
【図６】本発明の第２実施例の携帯電話機１０ｂの外観を示す図である。
【図７】本発明の第２実施例の携帯電話機１０ｂのデジタル・シグナル・プロセッサ５０の処理を示すフローチャート図である。
【符号の説明】
【００６２】
１０，１０ａ，１０ｂ    携帯電話機
１２，１２ａ，１２ｂ    表示装置
１３，１３ａ，１３ｂ    キー配置面
１４，１４ａ    入力キー群
１６ｂ  機能切り換えスイッチ
５３    入力キーコントローラ
５８    ＲＯＭ
１０７    多機能入力キー
１０７Ｌ，１０７Ｃ，１０７Ｒ，１０７Ｕ，１０７Ｄ    入力キー
【図１】
2005217759.tif 000003
【図２】
2005217759.tif 000004
【図３】
2005217759.tif 000005
【図４】
2005217759.tif 000006
【図５】
2005217759.tif 000007
【図６】
2005217759.tif 000008
【図７】
2005217759.tif 000009